【手続補正書】
【提出日】平成26年7月7日(2014.7.7)
【手続補正１】
【補正対象書類名】特許請求の範囲
【補正対象項目名】全文
【補正方法】変更
【補正の内容】
【特許請求の範囲】
【請求項１】
チューブ区画の存在または不在を検出するチューブ状態検出器であって、
チューブ区画が配置される空間に向けられた第１光軸を有する第１発光体と、
前記空間に向けられた第２光軸を有する第２発光体であって、該第２発光体が前記第１発光体に隣接することと、
前記第１および第２発光体の反対の空間の側に配置され、前記第１および第２発光体によって放射された光を受けるように配置され、前記空間内のチューブ区画の存在または不在を判断する光学センサとを備える検出器。
【請求項２】
前記第２光軸は、前記第１光軸と略平行である請求項１に記載の検出器。
【請求項３】
前記光学センサは、前記空間内にチューブ区画があるときに、前記第１発光体からの高光源レベルまたは低光源レベルを検出する請求項１に記載の検出器。
【請求項４】
前記光学センサは、前記空間内にチューブ区画があるときに、前記第２発光体からの低光源レベルを検出する請求項４に記載の検出器。
【請求項５】
前記空間内にチューブ区画がある場合、前記第１および第２発光体の両方に対して検出された光源レベルは、前記空間内でチューブ区画が不在であることが知られているときに検出される前記第１および第２発光体に対する較正光源レベルの１５〜２０％の範囲内にある請求項１に記載の検出器。
【請求項６】
前記空間内にチューブ区画がない場合、前記第２発光体に対して検出された前記光源レベルは、前記第２発光体に対する前記較正光源レベルの１５〜２０％以下である請求項５に記載の検出器。
【請求項７】
前記光学センサは、前記第１光軸と略同一直線上の光軸を有している請求項１に記載の検出器。
【請求項８】
前記空間内にチューブ区画が配置される場合、前記第１光軸は前記チューブ区画の中心を通過する請求項１に記載の検出器。
【請求項９】
前記空間内に前記チューブ区画が配置される場合、前記第２光軸は前記チューブ区画の中心から位置をずらして配置される、請求項８に記載の検出器。
【請求項１０】
前記光学センサは、センサ光軸を有し、前記検出器は、前記センサ光軸に対して斜角に配置された第３光軸を有する第３発光体をさらに備える、請求項１に記載の検出器。
【請求項１１】
前記斜角は１１０〜１２０°である請求項１０に記載の検出器。
【請求項１２】
前記光学センサおよび第３発光体は、前記空間内にチューブ区画があり、かつ前記チューブ区画が流体を含まない場合には、前記光学センサによって検出される光源レベルが、前記空間内にチューブ区画がない場合に検出される較正光源レベルの１５０％以上であり、また、前記空間内にチューブ区画があり、かつ前記チューブ区画が流体を含む場合には、前記光学センサによって検出される光源レベルが、前記較正光源レベルの１２５％以下であるように配置される請求項１０に記載の検出器。
【請求項１３】
前記光学センサおよび第３発光体は、前記空間内にチューブ区画があり、かつ前記チューブ区画が流体を含まない場合には、前記光学センサによって検出される光源レベルが閾値レベル以上であり、また、前記空間内にチューブ区画があり、かつ前記チューブ区画が流体を含む場合には、前記光学センサによって検出される光源レベルが、前記閾値レベル以下であるように配置される請求項１０に記載の検出器。
【請求項１４】
前記閾値レベルは、前記空間内にチューブ区画がない場合に前記光学センサによって検出される光源レベルの１２５〜１５０％である、請求項１３に記載の検出器。
【請求項１５】
前記第３発光体および光学センサは、前記空間内のチューブ区画が流体で充填される場合と、前記空間内のチューブ区画中の流体が空である場合との両方の場合に、前記光学センサが前記第３発光体から光を受けるように配置される請求項１０に記載の検出器。
【請求項１６】
前記空間は、チューブ区画を実質的に変形させることなく、筒状外面を有した前記チューブ区画を受容および保持するように配置される請求項１０に記載の検出器。
【請求項１７】
前記第１および第２発光体は、発光ダイオードである請求項１に記載の検出器。
【請求項１８】
前記チューブ区画は、透析システムの患者ラインの一部である請求項１に記載の検出器。
【請求項１９】
前記チューブ区画は、患者ラインの先端にある請求項１に記載の検出器。
【請求項２０】
流体がチューブ区画に含まれるか否かを検出するチューブ状態検出器であって、
チューブ区画が配置される空間を通過するように配置された光軸を有する充填状態発光体であって、前記空間が、筒状外面を有したチューブ区画を受容し、該チューブ区画を実質的に変形させることなく、前記チューブ区画を保持するように配置されることと、
前記充填状態発光体の反対の空間の側に配置され、前記充填状態発光体によって放射された光を受けるように配置され、前記チューブ区画中の流体の存在または不在を判断する光学センサであって、該光学センサが、前記充填状態発光体の光軸に対して斜角に配置されたセンサ光軸を有することとを備える検出器。
【請求項２１】
前記斜角は１１０〜１２０°である請求項２０に記載の検出器。
【請求項２２】
前記光学センサおよび充填状態発光体は、前記空間内にチューブ区画があり、かつ前記チューブ区画が流体を含まない場合には、前記光学センサによって検出される光源レベルが前記空間内にチューブ区画がない場合に検出される較正光源レベルの１５０％以上であり、また、前記空間内にチューブ区画があり、かつ前記チューブ区画が流体を含む場合には、前記光学センサによって検出される光源レベルが前記較正光源レベルの約１２５％以下であるように配置される請求項２０に記載の検出器。
【請求項２３】
前記光学センサおよび充填状態発光体は、前記空間内にチューブ区画があり、かつ前記チューブ区画が流体を含まない場合には、前記光学センサによって検出される光源レベルが閾値レベル以上であり、また、前記空間内にチューブ区画があり、かつ前記チューブ区画が流体を含む場合には、前記光学センサによって検出される光源レベルが、前記閾値レベル以下であるように配置される請求項２０に記載の検出器。
【請求項２４】
前記閾値レベルは、前記空間内にチューブ区画がない場合に前記光学センサによって検出される光源レベルの１２５〜１５０％である請求項２３に記載の検出器。
【請求項２５】
前記充填状態発光体は発光ダイオードである請求項２０に記載の検出器。
【請求項２６】
チューブ区画が配置される空間に向けられた第１光軸を有する第１発光体と、
前記空間に向けられた第２光軸を有する第２発光体であって、該第２発光体が前記第１発光体に隣接することとをさらに備え、
前記光学センサは、前記第１および第２発光体の反対の空間の側に配置され、前記第１および第２発光体によって放射された光を受けるように配置され、前記空間内のチューブ区画の存在または不在を判断する、請求項２０に記載の検出器。
【請求項２７】
前記第２光軸は前記第１光軸と略平行である請求項２６に記載の検出器。
【請求項２８】
前記光学センサは、前記空間内にチューブ区画があるときに前記第１発光体からの高光源レベルまたは低光源レベルを検出する、請求項２６に記載の検出器。
【請求項２９】
前記光学センサは、前記空間内にチューブ区画があるときに、前記第２発光体からの低光源レベルを検出する、請求項２８に記載の検出器。
【請求項３０】
前記空間内にチューブ区画がある場合、前記第１および第２発光体の両方に対して検出された光源レベルは、前記空間内でチューブ区画が不在であることが知られているときに検出される前記第１および第２発光体に対する較正光源レベルの１５〜２０％の範囲内にある、請求項２６に記載の検出器。